(57)【要約】      （修正有）【課題】多機能組み合わせペンで、特に取り替えが便利で、ＤＩＹによる随意変化が可能なペン構造を提供する。【解決手段】文具の取り換えが容易で、随意に変化できる多機能組み合わせペンであり、中空の棒体１からなり、両端は貫通し、両端の開口から異なる文具を置き入れて使用し、個人の好みで随意に取り換え可能で、需要に応じて必要な文具を組み合わせることができる。簡単、迅速、携帯にも便利で、二種以上の文具を一体に結合し、空間を占有しない他にも、使用上便利である。【選択図】図１
0003132084.tif 000002
【実用新案登録請求の範囲】
【請求項１】
多功能組み合わせペンであって、主に、棒体、筆記具、文具組み合わせ筒からなり、前記棒体は中空で、内壁面に一本以上の凹環を有し、中央は少なくとも一端に錐面を形成し、前記筆記具、或いは、その他の文具の組み合わせ筒は、棒部を有し、上蓋と錐部を形成し、且つ、前記棒部上に凸環を有して、前記棒体内の凹環と嵌入することを特徴とする多功能組み合わせペン。  
【請求項２】
前記棒体の一端はフックを設置することを特徴とする請求項１に記載の多功能組み合わせペン。
【請求項３】
前記棒体内に設置された錐面中央に孔を有し、芯が穿過することを特徴とする請求項１に記載の多功能組み合わせペン。
【請求項４】
前記筆記具、及び、文具組み合わせ筒は双方向に前記棒体内に置入できることを特徴とする請求項１に記載の多功能組み合わせペン。
【請求項５】
前記文具、或いは、文具組み合わせ筒を前記棒体内に組み合わせる時、上蓋、或いは、錐部を前記棒体外に凸伸することを特徴とする請求項１に記載の多功能組み合わせペン。
【考案の詳細な説明】
【技術分野】
【０００１】
本考案は多機能組み合わせペンの新設計に関し、特に、シャープペン、ボールペン、芯、消しゴム、修正液等の文具を筒状に組み合わせ、長さを半分程度に縮小し、更に、中空の棒体により、両端から異なる文具を随意に装入し、実際の需要に応じて組み合わせることが出来、便利、且つ、実用的で、現有の文具功能以外にも、多様な変換組み合わせができる構造に関するものである。
【背景技術】
【０００２】
公知の筆記具は一般、書きやすい適当な長さ（１５センチ）であるが、特に鉛筆は半分まで削ると書きにくくなるので、大部分の人が使用と止める。シャープペンは、主に、プッシュ式であり、押すと芯が押し出されて継続使用が可能であるが、鉛筆やボールペンは基本的に書く功能しかないので、仕事上、或いは、試験などで異なる色（赤、青、黒）、或いは、異なる芯（H、HB,２B）を必要とする時、一般に、多数本を準備しなけばならず、又、消しゴムや修正液も別に準備する必要があるので、携帯上不便であり、物が多くて遺失しやすく、必要に探し出せないという面倒もある。
【考案の開示】
【考案が解決しようとする課題】
【０００３】
本考案は、多機能組み合わせペンの新設計で、特に、取り換えが便利で、DIYによる随意変化が可能なペン構造を提供することを目的とする。
【課題を解決するための手段】
【０００４】
本考案の多機能組み合わせペンは、主に、中空の棒体からなり、鉛筆、ボールペン、消しゴム、修正液等の文具を筒状に組み合わせてなり、棒体内径は小さく、棒体両端の開口から置き入れ、個人の好みで随意に取り換え可能で、且つ、需要に応じて必要な文具を組み合わせることができる。
【考案の効果】
【０００５】
本考案により、個人の好みで随意に取り換え可能で、且つ、需要に応じて必要な文具を組み合わせ、組み合わせが簡単、迅速、携帯にも便利で、空間を占有しないという長所がある。
【考案を実施するための最良の形態】
【０００６】
図１は本考案の立体外観図で、主に、棒体１からなり、通孔１０を有して中空状をなし、公知のペンと相同の長さを有する。一端はフック１１を有し、ポケットに掛けることができる。棒体１の内部は図２で示されるように、棒体１の軸向け断面図で、棒体１内壁上下端にそれぞれ凹環１０１を有し、中央は少なくとも一端に錐面１０２を有するか、或いは、両端が錐面１０２を有する。上下二個の端面は下開口１２と上開口１３を形成している。
【０００７】
次に、本考案の組み合わせペンは図３で示されるように、筆記具２は棒部２１に上蓋２３と錐部２２を組み合わせてなり、外径は棒体１の内径より僅かに小さく、棒体１の上開口１３、或いは、下開口１２から置き入れ、棒部２１の外環面は凸環２０を形成し、特に、凸環２０は大きすぎてはいけず、棒体１内壁で移動できるようでなければならない。凹環リング１０１に到達する時、棒部２１の凸環２０が嵌入し、棒部２１は棒体１内部に定位し、筆記具を形成する。筆記具２がボールペンである場合、各種尺寸にするのも問題ないが、シャープペンである場合、公知のプッシュ式は短小に形成するのが難しく、形成できたとしても、芯が書き終わる時、毎回筆記具２から芯を押し出してから、再挿入して使用しなければならないので、非常に面倒で不便である。これにより、本考案者が申請した自動推出式鉛筆が最も理想的であり、現在、最小のシャープペンを形成できるだけでなく、紙の反作用により芯を自動推出し、押す等の操作が不要で、組み合わせ使用に適する。
【０００８】
本考案のその他の組み合わせ文具は、図４、図５、及び、図６で示され、図４は芯筒３を示す図で、同様に棒部３１、上蓋３３、及び、錐部３２からなり、芯蓋３４を設置し、且つ、棒部２１に凸環３０を有し、外観全体は長さ、外径、或いは、凸環３０の位置はどれも筆記具２と同じであるので、棒体１の上開口１３から挿入し、筆記具２と互換できる。図５は消しゴム筒４を示す図で、組み合わせの目的を達成するため、消しゴム筒４は同様の造型で、棒部４１、錐部４２、及び、上蓋４３を有し、棒部４１上に凸環４０を有し、消しゴムは螺旋式に推出し、頂端に位置する上蓋４３は旋転頭であり、消しゴム４４が推出、或いは、内縮し、且つ、消しゴム４４は一般の消しゴムより意図的に細小に設計され、小さい範囲を消すのに便利であり、接近する文字や図が一緒に消されないようにする。図６は修正液筒５を示す図で、主に、棒部５１、上蓋５３、及び、錐部５２からなり、棒部５１中央に凸環５０を設置し、且つ、錐部５２下方に蓋体５４を設置し、修正液を使用したい時、蓋体５４を開くだけでよい。
【０００９】
実際の組み合わせ時、図７、図８で示されるように、棒体１はフック１１を有するので、筆記具２は一般にペンのもう一端に設けられ、下開口１２から置き入れられ、書きたい時、上蓋２３は下開口１２から置き入れられ、凸環２０を凹環１０１内に嵌入し、この時、上蓋２３は錐面２３に抵止するので、筆記具２は外力を受けて過度に内縮することがなく、錐部２２が棒体１外部に露出するのを維持し、筆記具２不使用時、錐部２２を手で握り、その後、蓋を開けるように施力すれば、凸環２０が凹環１０１から滑出し、筆記具２を簡単に抽出できる。この時、錐部２を下開口１２から挿入し、筆記具２の凸環２０を凹環１０１内に嵌入し、且つ、錐部２２前端の凸伸した先が錐面１０２中央に抵止し、芯が押し出される。
【００１０】
この他、その他の異なる文具の組み合わせ方式は、凸環３０、４０、５０と凹環１０１を嵌入することにより結合され、取り外しも同じであり、非常に簡単、便利で、特に、組み合わせ変化は実際の需要や個人の好みにより決定できる。図９〜図１１を参照すると、図９はシャープペン２と芯筒３の組み合わせを示し、芯筒３内は複数の芯を装入しておける。また、棒体１内に組み合わされるので携帯に便利で、空間を占有せず、遺失も防げる。芯筒３は双方向に随意組み合わせでき、筆記具２も双方向で組み合わせができ、多種類の組み合わせ変化が生成される。筆記具２は消しゴム筒４（図１０）を組み合わせ、書き損じ時、直ぐに消して修正できる。筆記具２がボールペンである場合、修正液筒５により（図１１）、書き損じを修正できる。
【００１１】
上述の説明から分かるように、本考案は、主に、棒体１内壁に設置された凹環１０１と各文具の棒部上に設置された凸環２０、３０、４０、５０と嵌合して組み立ての目的を達成し、更に、錐面１０２の設置により、各文具が外力を受けた時、或いは、使用不当で棒体1内壁に過度に穿入して取り出せなくなるのを防止し、且つ、各文具は皆双方向の組み合わせ置入で、組み合わせ変化と趣が増加するだけでなく、文具の上蓋２３、３３、４３、５３に更に異なる図案、模様、ロゴを設計し、組み合わせ後、棒体１のフック１１頂端に凸伸し、フック１１をポケットに掛けるとき、パターン、模様、或いは、ロゴが浮き立ち、また、文具の種類も繁多で、図３〜図６の実施例造型を形成するだけで、組み合わせ変化が生まれ、実用的である。
【図面の簡単な説明】
【００１２】
【図１】本考案の立体外観図である。
【図２】本考案の軸向き断面図である。
【図３】本考案の筆記具の側視図である。
【図４】本考案の芯筒の側視図である。
【図５】本考案の消しゴム筒の側視図である。
【図６】本考案の修正液筒の側視図である。
【図７】本考案の筆記具を棒体に組み合わせた図である。
【図８】本考案の筆記具を棒体に収合する時の図である。
【図９】本考案の筆記具と芯筒の組み合わせ図である。
【図１０】本考案の筆記具と消しゴム筒の組み合わせ図である。
【図１１】本考案の筆記具と修正液筒の組み合わせ図である。
【符号の説明】
【００１３】
１    棒体
１０  通孔
１１  フック
１２  下開口
１３  上開口
１０１  凹環
１０２  錐面
２  筆記具
３  芯筒
４  消しゴム筒
５  修正液筒
２１、３１、４１、５１  棒部
２２、３２、４２、５２  錐部
２３、３３、４３、５３  上蓋
２０、３０、４０、５０  凸環
４４  消しゴム
３４  芯蓋
５４  蓋体
【図１】
0003132084.tif 000003
【図２】
0003132084.tif 000004
【図３】
0003132084.tif 000005
【図４】
0003132084.tif 000006
【図５】
0003132084.tif 000007
【図６】
0003132084.tif 000008
【図７】
0003132084.tif 000009
【図８】
0003132084.tif 000010
【図９】
0003132084.tif 000011
【図１０】
0003132084.tif 000012
【図１１】
0003132084.tif 000013